(57)【要約】【課題】光アダプタに加えて、モジュラージャックの併設を可能とした光フロアコンセント提供する。【解決手段】ベース板１の裏面側から光ケーブルＫ１を入線する光ケーブル入線用開口部１９と、ベース板１の表面側に光ケーブルＫ１を巻回収容可能とした巻回収納部１４と、二つの光コネクタプラグを接続する光アダプタ５を挿脱可能に収容する光アダプタ挿入部Ｈ１と、ルーター側からのＬＡＮまたはＴＥＬケーブルＫ３をモジュラージャック６の接続端６ｂにベース板１の裏面側から接続し且つベース板１の表面側から加入者側のモジュラープラグＰ４を接続するための当該モジュラージャック６を挿脱可能に収容するためのモジュラージャック挿入部Ｈ２と、屋内床面Ｗを挟み込むようにしてベース板１を埋め込みボックスＢへ固定するための当該ベース板１に設けた取付孔３ａ、３ｂ、３ｃ、３ｄとを備える。【選択図】図１
2015022198.tif 000002
【特許請求の範囲】
【請求項１】
屋内床面に裏面側が固定されるベース板と、該ベース板の表面側に被せられるカバーとを備え、床面に設置可能としてなる光フロアコンセントであって、ベース板の裏面側から局側の光コネクタプラグの光ケーブルを入線させるための光ケーブル入線用開口部と、ベース板の表面側に局側の光ケーブルを巻回収容可能とした巻回収納部と、局側の光コネクタプラグおよび加入者側の光コネクタプラグを接続するための光アダプタを挿脱可能に収容する光アダプタ挿入部と、光アダプタによって接続された局側の光コネクタプラグおよび加入者側の光コネクタプラグを各収容する光コネクタプラグ収容部と、ケーブルをモジュラージャックの接続端にベース板の裏面側から接続し且つベース板の表面側から加入者側のモジュラープラグを接続するための当該モジュラージャックを挿脱可能に収容するためのモジュラージャック挿入部と、ベース板の表面側においてモジュラージャックに接続された加入者側のモジュラープラグを収容するためのモジュラープラグ収容部と、床面を挟み込むようにしてベース板を埋め込みボックスへ固定させるための当該ベース板に設けられた取付孔と、を備えたことを特徴とする光フロアコンセント。
【請求項２】
カバーは、光アダプタに光コネクタプラグを接続し且つモジュラージャックにモジュラープラグを接続した状態でベース板を覆うものとし、ベース板には光コネクタプラグ収容部とモジュラープラグ収容部との周囲に当該両収容部よりも高い荷重受け面を設け、ベース板をカバーで覆った際に、カバーの裏面が荷重受け面に当接するものとしたことを特徴とする請求項１記載の光フロアコンセント。
【請求項３】
ベース板の裏面側には、埋め込みボックスからのＬＡＮまたはＴＥＬケーブルをベース板の外方へ引き出すためのケーブル溝を備えたことを特徴とする請求項１または２記載の光フロアコンセント。
【請求項４】
カバーには、ベース板に設けた係合溝によって係止可能とする誤脱防止突起を備えたことを特徴とする請求項１乃至３のいずれか記載の光フロアコンセント。
【請求項５】
モジュラージャック挿入部は、モジュラージャックを当該挿入部の位置決め枠内で斜行するように形成されていることを特徴とする請求項１乃至４のいずれか記載の光フロアコンセント。
【発明の詳細な説明】
【技術分野】
【０００１】
本発明は、屋内に引き込まれた光屋外線または光屋内線と宅内光コードとの光学的接続に使用するために建物内の主として床に露出設置される露出型の光フロアコンセントに関する。
【背景技術】
【０００２】
従来、光コンセントには、建物内の床面に埋め込み設置する光フロアコンセントと、建物内に露出設置する光ローゼットとがある。このうち光フロアコンセントは、光ケーブルの芯線である光ファイバの余長部分における断線を防止して床下空間に収納されている。また、光ローゼットは、壁面に沿って出力用光ケーブルと入力用光ケーブルとを接続するための壁表面配線方式のみであり、光ケーブルの導入口を上下左右の４方向に設けていたものである。
【０００３】
具体的な光フロアコンセントとしては、例えば特許文献１に示す床埋込型の床配線装置が公知である。すなわち、この床配線装置は、床に形成した開口部に取付けられるフロアコンセントに光ケーブル用の光コンセント部を設けると共に、フロアコンセントに床の下方の床下空間に配線され且つ端部が上記光コンセント部に接続される光ケーブルの余長部分を巻き取るためのリールを備えている。
【０００４】
しかしながら、上記した特許文献１の床埋込型の床配線装置では、スラブのような床基材の上方に床下空間を介して形成した床に開口部を形成し、この開口部に上記フロアコンセントを嵌め込んで取付けるのであるが、この場合、まず床下空間に配線した光ケーブルを床の開口部から床上空間に引出した余長部分の付け根部分をフロアコンセントに取付けた取付け板の張力止め具に保持させ、リール部を固定部から離れるように移動させて上方に突出させた状態で、リール部に光ケーブルの余長部分を巻き、光ケーブルの先端の光用プラグを光コンセント部の後面側に開口するレセプタクルにはめ込んで接続する。このため、床上空間におけるフロアコンセントの敷設施工が極めて困難なものとなる。
【０００５】
また、従来における光ローゼットは、壁表面配線方式のみであるため、光ローゼットの壁面設置位置において当該光ローゼットの背面から壁面を貫通させて屋外から光ケーブルを導入させること、すなわち光ケーブルの側面導入ルートの他に背面導入ルートと、を持ち合わせた光ローゼットは存在していなかった。
【０００６】
このため、特許文献２に示すように、本出願人自身により、光ケーブルの側面導入ルートと背面導入ルートとを両立できるようにすることで、大幅な敷設工数の削減および美観に優れた施工を実現可能にした光ローゼットが提案された。すなわち、光ローゼットは、屋内壁面に裏面側が固定されるベース板と、該ベース板の表面側に被せられるカバーとを備え、当該ベース板には、光ケーブルの側面導入口と、二つの光コネクタ同士を接続するための光アダプタを挿脱可能とする挿入部とを備え、ベース板の背面側には、光ケーブルの背面導入口を備えている。また、ベース板の内側には、光ケーブルの余長をループ状にして収納可能とする略長円形状の余長収納部を備え、側面導入口それぞれはこの余長収納部に連通し、さらに側面導入口と側面導入口とは途中で合流して余長収納部に連通している。
【先行技術文献】
【特許文献】
【０００７】
【特許文献１】特開２００５−０７３３６５号公報
【特許文献２】特願２０１２−００２９３６号
【発明の概要】
【発明が解決しようとする課題】
【０００８】
ただ、上記した特許文献２の光ローゼットでは、二つの光コネクタ同士を接続するための光アダプタが挿入部の一方向のみに装着されているだけであって、この光アダプタに加えて、モジュラープラグを接続するためのモジュラージャックが光ローゼット内に併設されたものは未だ存在しいていない。しかも、光ローゼットは、壁面に沿って出力用光ケーブルと入力用光ケーブルとを接続するための壁表面配線方式のみであり、かつ床面において出力用光ケーブルと入力用光ケーブルとを接続する床面配線方式の光フロアローゼットも未だ存在していない。
【０００９】
また、特許文献２の光ローゼットでは、カバーに荷重が掛かると、光アダプタによって接続された二つの光コネクタへの圧潰による損傷を生じさせてしまう虞もある。
【００１０】
さらに、特許文献２の光ローゼットでは、ベース板の背面側において個別の専用コネクタを使用しなければ、当該ベース板からのＬＡＮまたはＴＥＬケーブルの床面上への引き回し配線ができない。
【００１１】
さらにまた、特許文献２の光ローゼットでは、光ケーブルに外力が加わった際に、カバーがベース板から外れてしまう虞もある。
【００１２】
加えて、特許文献２の光ローゼットでは、モジュラープラグを接続するためのモジュラージャックが光アダプタと共に水平となって併設されているものとした場合には、床面に対し光ローゼット自体の高さを大きくしなければ、モジュラープラグの接続が困難なものとなる。
【００１３】
そこで、本発明は、叙上のような従来存した諸事情に鑑み案出されたもので、光アダプタに加えて、モジュラープラグを接続するためのモジュラージャックの併設を可能とし、またベース板に被せられたカバーに荷重が掛かっても光アダプタによって接続された二つの光コネクタへの圧潰損傷を防止することができ、さらに個別の専用コネクタを使用しなくてもベース板からのＬＡＮまたはＴＥＬケーブルの床面上への引き回し配線が可能となり、さらにまた光ケーブルやＬＡＮまたはＴＥＬケーブルに加わった外力によってカバーがベース板から外れてしまうのを防止でき、加えて床面に対し高さを低くしても床面上方からのモジュラープラグの接続が容易に行えるものとした床面露出型の光フロアコンセントを提供することを目的とする。
【課題を解決するための手段】
【００１４】
上述した課題を解決するために、本発明にあっては、屋内床面に裏面側が固定されるベース板と、該ベース板の表面側に被せられるカバーとを備え、床面に設置可能としてなる光フロアコンセントであって、ベース板の裏面側から局側の光コネクタプラグの光ケーブルを入線させるための光ケーブル入線用開口部と、ベース板の表面側に局側の光ケーブルを巻回収容可能とした巻回収納部と、局側の光コネクタプラグおよび加入者側の光コネクタプラグを接続するための光アダプタを挿脱可能に収容する光アダプタ挿入部と、光アダプタによって接続された局側の光コネクタプラグおよび加入者側の光コネクタプラグを各収容する光コネクタプラグ収容部と、ケーブルをモジュラージャックの接続端にベース板の裏面側から接続し且つベース板の表面側から加入者側のモジュラープラグを接続するための当該モジュラージャックを挿脱可能に収容するためのモジュラージャック挿入部と、ベース板の表面側においてモジュラージャックに接続された加入者側のモジュラープラグを収容するためのモジュラープラグ収容部と、床面を挟み込むようにしてベース板を埋め込みボックスへ固定させるための当該ベース板に設けられた取付孔と、を備えたことを特徴とする。
【００１５】
カバーは、光アダプタに光コネクタプラグを接続し且つモジュラージャックにモジュラープラグを接続した状態でベース板を覆うものとし、ベース板には光コネクタプラグ収容部とモジュラープラグ収容部との周囲に当該両収容部よりも高い荷重受け面を設け、ベース板をカバーで覆った際に、カバーの裏面が荷重受け面に当接するものとしたことを特徴とする。
【００１６】
ベース板の裏面側には、埋め込みボックスからのＬＡＮまたはＴＥＬケーブルをベース板の外方へ引き出すためのケーブル溝を備えたことを特徴とする。
【００１７】
カバーには、ベース板に設けた係合溝によって係止可能とする誤脱防止突起を備えたことを特徴とする。
【００１８】
モジュラージャック挿入部は、モジュラージャックを当該挿入部を囲む位置決め枠内で斜行するように形成されていることを特徴とする。
【発明の効果】
【００１９】
本発明によれば、光アダプタに加えて、モジュラープラグを接続するためのモジュラージャックの併設を可能とし、またベース板に被せられたカバーに荷重が掛かっても光アダプタによって接続された二つの光コネクタプラグのコネクタ部分への圧潰損傷を防止することができ、さらに個別の専用コネクタを使用しなくてもベース板からのＬＡＮまたはＴＥＬケーブルの床面上への引き回し配線が可能となり、さらにまた光ケーブルやＬＡＮまたはＴＥＬケーブルに加わった外力によってカバーがベース板から外れてしまうのを防止でき、加えて床面に対し高さを低くしても床面上方からのモジュラープラグの接続が容易に行えるものとした床面配線方式の光フロアコンセントシステムを構築可能にする。
【００２０】
すなわち、ベース板の裏面側から局側の光コネクタプラグの光ケーブルを入線させるための光ケーブル入線用開口部と、ベース板の表面側に局側の光ケーブルを巻回収容可能とした巻回収納部と、局側の光コネクタプラグおよび加入者側の光コネクタプラグを接続するための光アダプタを挿脱可能に収容する光アダプタ挿入部と、光アダプタによって接続された局側の光コネクタプラグおよび加入者側の光コネクタプラグを各収容する光コネクタプラグ収容部と、ケーブルをモジュラージャックの接続端にベース板の裏面側から接続し且つベース板の表面側から加入者側のモジュラープラグを接続するための当該モジュラージャックを挿脱可能に収容するためのモジュラージャック挿入部と、ベース板の表面側においてモジュラージャックに接続された加入者側のモジュラープラグを収容するためのモジュラープラグ収容部と、床面を挟み込むようにしてベース板を埋め込みボックスへ固定させるための当該ベース板に設けられた取付孔と、を備えたからであり、これにより、光アダプタに加えて、モジュラープラグを接続するためのモジュラージャックの併設を可能とした床面配線方式の光フロアコンセントシステムを容易に構築可能にする。
【００２１】
カバーは、光アダプタに光コネクタプラグを接続し且つモジュラージャックにモジュラープラグを接続した状態でベース板を覆うものとし、ベース板には光コネクタプラグ収容部とモジュラープラグ収容部との周囲に当該両収容部よりも高い荷重受け面を設け、ベース板をカバーで覆った際に、カバーの裏面が荷重受け面に当接するものとしたので、カバーに不用意な荷重が作用しても光コネクタプラグおよびモジュラープラグそれぞれに対し加重が加わるのを防止することができる。
【００２２】
ベース板の裏面側には、埋め込みボックスからのＬＡＮまたはＴＥＬケーブルをベース板の外方へ引き出すためのケーブル溝を備えたので、個別の専用コネクタを使用しなくてもベース板からのＬＡＮまたはＴＥＬケーブルの床面上への引き回し配線が可能となる。
【００２３】
カバーには、ベース板に設けた係合溝によって係止可能とする誤脱防止突起を備えたので、光ケーブル等に外力が作用してもベース板からのカバーの離脱を未然に防止することができる。
【００２４】
モジュラージャック挿入部は、モジュラージャックを当該挿入部を囲む位置決め枠内で斜行するように形成されているので、床面に対し光フロアコンセント自体の高さを低くしても床面上方からのモジュラープラグの接続が容易に行える。
【図面の簡単な説明】
【００２５】
【図１】本発明を実施するための一形態を示す光フロアコンセントを表側から視た分解斜視図である。
【図２】同じく光フロアコンセントを裏側から視た分解斜視図である。
【図３】ベース板にカバーをセットした状態を表側から視た斜視図である。
【図４】同じくベース板にカバーをセットした状態を裏側から視た斜視図である。
【図５】同じくベース板にカバーをセットした状態を示し、（ａ）は平面図、（ｂ）は側面図、（ｃ）は底面図、（ｄ）は正面図、（ｅ）は背面図、（ｆ）は（ａ）のＸ−Ｘ断面図である。
【図６】ベース板からカバー及びアダプタ及びモジュラージャックを外した状態を示し、（ａ）は平面図、（ｂ）は側面図、（ｃ）は底面図、（ｄ）は正面図、（ｅ）は背面図である。
【図７】ベース板から取り外したカバーを示し、（ａ）は平面図、（ｂ）は側面図、（ｃ）は底面図、（ｄ）は正面図、（ｅ）は背面図である。
【図８】光アダプタの構成の一例を示し、（ａ）は平面図、（ｂ）は側面図、（ｃ）は正面図、（ｄ）は背面図である。
【図９】モジュラージャックの構成の一例を示し、（ａ）は平面図、（ｂ）は側面図、（ｃ）は正面図、（ｄ）は背面図である。
【図１０】光フロアコンセントの使用の一例を示すカバー分離状態の斜視図である。
【図１１】光フロアコンセントの他の使用の一例を示すカバー分離状態の斜視図である。
【図１２】図１０に示す使用例における光フロアコンセントの詳細を示すもので、（ａ）は平面図、（ｂ）は（ａ）のＡ−Ａ断面図、（ｃ）は（ａ）のＢ−Ｂ断面図である。
【図１３】図１１に示す他の使用例における光フロアコンセントの詳細を示すもので、（ａ）は平面図、（ｂ）は（ａ）のＣ−Ｃ断面図、（ｃ）は（ａ）のＤ−Ｄ断面図である。
【図１４】図１２に示す使用例における光フロアコンセントの分解斜視図である。
【図１５】図１３に示す使用例における光フロアコンセントの分解斜視図である。
【発明を実施するための形態】
【００２６】
以下、図面を参照して本発明に係る光フロアコンセントの実施の一形態を詳細に説明する。本発明に係る光フロアコンセントは、扁平長円形体に形成され、互いに分離可能に嵌合するベース板１とカバー２とを有する。ベース板１は、下側に埋め込みボックスＢが設置されている屋内床面Ｗ（図１０乃至図１５参照）の円形状の上部開口Ｓの内周縁にこの裏面側を当接し、ベース板１の裏面に形成されている後述する光ケーブル入線用開口部１９の周壁に沿って形成された４つの取付孔３ａ、３ｂ、３ｃ、３ｄより屋内床面Ｗを貫通させるようネジＮ（図１５にはベース板１の表側から取付孔３ｄに取付られたネジＮの先端部分が示されている）を埋め込みボックスＢのネジ孔Ｂ２にねじ込むことよって屋内床面Ｗに固定され、その後でカバー２がベース板１の表面側に被せられるものとなっている。
【００２７】
このベース板１には、図８、図１０、図１１、図１２、図１３、図１４および図１５に示すように、局側の光ケーブルＫ１に繋がれた光コネクタプラグＰ１と宅内の使用者側（加入者側）の光ケーブルＫ２に繋がれた光コネクタプラグＰ２との二つの光コネクタプラグ（例えば外被把持ＳＣ形コネクタプラグ）同士を接続するためのシャッタ板Ｑ１を備えた光アダプタ５が当該ベース板１に形成されている保持爪を有する光アダプタ挿入部Ｈ１に把持された状態で配されている。また、ベース板１の表面側において光アダプタ挿入部Ｈ１の前後両側は、光アダプタ５に接続された各光コネクタプラグＰ１、Ｐ２をそれぞれ収容するための光コネクタプラグ収容部Ｇ１、Ｇ２となっている。このとき光コネクタプラグ収容部Ｇ１、Ｇ２および光アダプタ挿入部Ｈ１は、後述する荷重受け面１７の側壁によって後述する巻回収納部１４と隔離されている。
【００２８】
光アダプタ５は、図８に示すように、斜め上方向に向けて開口している一方の嵌合部開口端５ａにシャッタ板Ｑ１を備え、使用者側の光コネクタプラグＰ２を嵌合させることによって、閉鎖方向に付勢しているシャッタ板Ｑ１を不図示の板バネの押圧力に抗して開放可能にしてなる。また、水平方向に開口している他方の嵌合部開口端５ｂには、光アダプタ５の不使用の場合においては、不図示のアダプタ用密閉キャップによって閉塞され、一方、光アダプタ５を使用する場合においては当該アダプタ用密閉キャップが取り外される。
【００２９】
ベース板１には、図１０、図１２、図１４に示すように、ルーター（例えば光回線終端装置等）側からＬＡＮまたはＴＥＬケーブルＫ３をモジュラージャックの接続端６ｂにベース板の裏面側から接続し且つモジュラージャック６の先端には、ベース板１の表面側から宅内の使用者側（加入者側）のモジュラープラグＰ４を接続するための手動で開き上げる開閉蓋状のシャッタ板Ｑ２を備えている。そして、モジュラージャック６を挿脱可能に収容するためのモジュラージャック挿入部Ｈ２がベース板１の表裏を貫通した状態で配されている。また、ベース板１の表面側においてモジュラージャック挿入部Ｈ２に接続された加入者側のモジュラープラグＰ４を収容するためのモジュラープラグ収容部Ｇ３が設けられている。このときモジュラープラグ収容部Ｇ３およびモジュラージャック挿入部Ｈ２は、後述する荷重受け面１７の側壁によって後述する巻回収納部１４と隔離されている。
【００３０】
モジュラージャック６は、図９に示すように、水平方向に向けて開口している嵌合部開口端６ａにシャッタ板Ｑ２を備え、シャッタ板Ｑ２を手動で開き上げることによって、モジュラープラグＰ４が接続可能となる。また、水平方向に開口している接続端６ｂには、ルータ側からのＬＡＮまたはＴＥＬケーブルＫ３が略一体となって接続させてある。
【００３１】
図１、図５、図６、図１０、図１１、図１４、図１５に示すように、ベース板１の表面側には上記した各収容部Ｇ１、Ｇ２、Ｇ３よりも高い平坦な荷重受け面１７が立設され、宅内の使用者側（加入者側）の光コネクタプラグＰ２の光ケーブルＫ２を光コネクタプラグ収容部Ｇ２内に導入させるための略半円形溝状の開口部１２ａと、使用者側（加入者側）のモジュラープラグＰ４のＬＡＮまたはＴＥＬケーブルＫ４をベース板１内に導入させるための溝条となった側面導入口１６がこの荷重受け面１７の周壁から内方に向けて並設されている。このうちモジュラープラグＰ４のＬＡＮまたはＴＥＬケーブルＫ４を導入させる側面導入口１６側は、ベース板１から立設した円形リブ状のケーブル溝蓋１３によって閉塞されており、このモジュラープラグＰ４が使用される場合には、このケーブル溝蓋１３の根元位置を手指等で折り取って使用する。
【００３２】
なお、カバー２の外周にはケーブル溝蓋１３に対応して略半円形凹溝状の開口部１８が形成され、ベース板１がカバー２によって閉蓋された際にはこの開口部１８にケーブル溝蓋１３が嵌合するようにしてある。また、カバー２の外周には上記開口部１２ａに対応して略半円形溝状の開口部１２ｂが形成され、カバー２によって閉蓋された際にはカバー２の開口部１２ｂにベース板１の開口部１２ａが合致して円形の開口が形成されるようにしてある。
【００３３】
図１、図２、図４、図５、図６、図１０、図１１、図１２に示すように、上記した局側の光コネクタプラグＰ１を収容するための光コネクタプラグ収容部Ｇ１側には、既述した如くベース板１の裏面側から表面側に局側の光コネクタプラグＰ１の光ケーブルＫ１を入線させるための光ケーブル入線用開口部１９が形成されている。さらに、ベース板１の荷重受け面１７には、局側の光コネクタプラグＰ１の光ケーブルＫ１余長を当該光ケーブルＫ１の許容の最小曲げ半径を確保しつつループ状にして収納可能とする略長円形溝状の巻回収納部１４を備え、前記光コネクタプラグ収容部Ｇ１、光ケーブル入線用開口部１９、側面導入口１６それぞれはこの巻回収納部１４に連通している。
【００３４】
図２、図４、図５、図６、図１３、図１４、図１５に示すように、ベース板１の裏面側には、上記光ケーブル入線用開口部１９およびモジュラージャック挿入部Ｈ２それぞれを囲むように円形枠状の位置決め枠２０が形成され、モジュラージャック挿入部Ｈ２自体はこの位置決め枠２０内で光ケーブル入線用開口部１９位置から離間する方向に斜行した状態となって形成されている。また、ベース板１の裏面側には、埋め込みボックスＢからのＬＡＮまたはＴＥＬケーブルＫ５をベース板１の外方へ引き出すために位置決め枠２０から放射状となって配置された合計３個のケーブル溝２１ａ、２１ｂ、２１ｃを設けている。すなわち、位置決め枠２０を挟んで平面視右側（右向き）、平面視上側（上向き）、平面視左側（左向き）にケーブル溝２１ａ、２１ｂ、２１ｃそれぞれが形成されている。これらケーブル溝２１ａ、２１ｂ、２１ｃは、ベース板１の外周縁において半円板状のケーブル溝蓋２２ａ、２２ｂ、２２ｃそれぞれによって閉塞されており、これらのケーブル溝２１ａ、２１ｂ、２１ｃのうち１つである例えば平面視右側（右向き）のケーブル溝２１ａが使用される場合には、これに対応したケーブル溝蓋２２ａの根元位置をニッパー等で折り取って使用する。
【００３５】
なお、カバー２の外周にはこれらケーブル溝蓋２２ａ、２２ｂ、２２ｃに対応して半円凹溝状の開口部２３ａ、２３ｂ、２３ｃが形成され、ベース板１がカバー２によって閉蓋された際にはこれら開口部２３ａ、２３ｂ、２３ｃにケーブル溝蓋２２ａ、２２ｂ、２２ｃがそれぞれ嵌合するようにしてある。なお、モジュラージャック６を使用しない場合には、前記したケーブル溝蓋１３によって閉塞されている側面導入口１６側は、必要に応じて、埋め込みボックスＢからのＬＡＮまたはＴＥＬケーブルＫ５をベース板１の外方へ引き出すためのケーブル溝として利用することができる。この際、当該ケーブル溝蓋１３は手指等で折り取って使用するものであることは前記同様である。
【００３６】
図２、図７に示すように、カバー２周縁の内壁における前後左右の合計四箇所には横長クサビ状の嵌合突起２４を設け、ベース板１にカバー２を被せた際に、ベース板１に設けた横長矩形状の係合溝２５によって係止されることで、ベース板１にカバー２が固定されるようにしてある。また、ベース板１からカバー２を取外す際には、嵌合突起２４の近傍においてカバー２周縁に凹設した取外し溝２６にマイナスドライバを突き当て、こじ開けられるものとしてある。さらに、カバー２周縁の内壁における上端の一箇所には、横長板状の誤脱防止突起２７が形成され、ベース板１の前記開口部１２ａとケーブル溝蓋１３との間の荷重受け面１７の端部に設けた横長矩形状の係合溝２８（図１参照）によって係止されるようになっている。
【００３７】
次に、以上のように構成された形態についての組立、使用の一例について説明する。なお、ベース板１の光アダプタ挿入部Ｈ１には光アダプタ５が把持された状態で水平方向に配されており、またベース板１のモジュラージャック挿入部Ｈ２には、モジュラージャック６がベース板１の表裏を貫通した状態で斜め方向に配されている。また、埋め込みボックスＢ内からＬＡＮまたはＴＥＬケーブルＫ３がベース板１の裏面側からモジュラージャック６の接続端６ｂに接続されている。また、埋め込みボックスＢは上面側に円形の開口枠Ｂ１が形成されており、屋内床面Ｗに形成された円形状の上部開口Ｓにこの開口枠Ｂ１が対向すべく床下に配置固定されている。
【００３８】
先ず、埋め込みボックスＢ内から光ケーブルＫ１を介して引き出された局側の光コネクタプラグＰ１を、ベース板１の裏面側から光ケーブル入線用開口部１９を通してベース板１の表面側に導入させ、光ケーブルＫ１の余長部分を巻回収納部１４に１回だけ引き回す等して収納させる。そして、光ケーブルＫ１先端の光コネクタプラグＰ１を、光アダプタ挿入部Ｈ１に取付けられている光アダプタ５の他方の嵌合部開口端５ｂに装着する。このとき、光コネクタプラグＰ１自体は光コネクタプラグ収容部Ｇ１に収容される。そして、下側に埋め込みボックスＢが設置されている屋内床面Ｗ（図１０乃至図１５参照）の上部開口Ｓ内周縁にベース板１の裏面側を当接し、ベース板１の４つの取付孔３ａ、３ｂ、３ｃ、３ｄのうち、２つの取付孔３ａ、３ｄ、または２つの取付孔３ｂ、３ｃのいずれかの組み合わせにより床面を貫通させるようネジＮ等をねじ込むことよって屋内床面Ｗに固定される。
【００３９】
次いで、光アダプタ５の一方の嵌合部開口端５ａに、宅内の機器から光ケーブルＫ２を介して引き出された使用者側（加入者側）の光コネクタプラグＰ２を、シャッタ板Ｑ１を押し込みながら装着する。このとき、光ケーブルＫ２は開口部１２ａによって把持され、光コネクタプラグＰ２自体は光コネクタプラグ収容部Ｇ２に収容される。而して、光アダプタ５を介しての両光コネクタプラグＰ１、Ｐ２の接続が完了する。そして、図１１、図１３に示すように、カバー２をベース板１に取り付ける。このとき、ベース板１の荷重受け面１７はカバー２の裏面に当接する。
【００４０】
モジュラージャック６を使用する場合には、図１０、図１２に示すように、ベース板１からカバー２を取り外し、ベース板１から立設したケーブル溝蓋１３の根元位置を手指等で折り取る。そして、ベース板１の表面側から宅内の使用者側（加入者側）のモジュラープラグＰ４をモジュラージャック６の嵌合部開口端６ａにシャッタ板Ｑ２を手動で開き上げて装着する。このとき、ＬＡＮまたはＴＥＬケーブルＫ４は溝条の側面導入口１６に装着され、モジュラープラグＰ４自体はモジュラープラグ収容部Ｇ３に収容される。而して、モジュラージャック６を介してのＬＡＮまたはＴＥＬケーブルＫ３とモジュラープラグＰ４との接続が完了する。そして、図１０、図１４に示すように、カバー２をベース板１に取り付ける。このとき、ベース板１の荷重受け面１７はカバー２の裏面に当接する。
【００４１】
埋め込みボックスＢからのＬＡＮまたはＴＥＬケーブルＫ５をベース板１の裏面側からベース板１の外方へ引き出す場合には、図１１、図１３、図１５に示すように、ベース板１を屋内床面Ｗに取付ける前に、埋め込みボックスＢ内からＬＡＮまたはＴＥＬケーブルＫ５を屋内床面Ｗの円形状の上部開口Ｓを通して所望の方向に引き出しておく。そして、ＬＡＮまたはＴＥＬケーブルＫ５の引き出し方向に対応すべく３つのケーブル溝２１ａ、２１ｂ、２１ｃのいずれかの選定を行う。
【００４２】
例えばＬＡＮまたはＴＥＬケーブルＫ５の引き出し方向が平面視右側であれば、平面視右側（右向き）のケーブル溝２１ａのケーブル溝蓋２２ａの根元位置をニッパー等で折り取っておき、ケーブル溝２１ａにＬＡＮまたはＴＥＬケーブルＫ５が嵌り込むようにベース板１を屋内床面Ｗの上部開口Ｓ上に載せ、４つの取付孔３ａ、３ｂ、３ｃ、３ｄのうち、２つの取付孔３ａ、３ｄ、または２つの取付孔３ｂ、３ｃのいずれかの組み合わせにより床面を貫通させるようネジＮ等をねじ込むことよって屋内床面Ｗに固定する。そして、図１１、図１３、図１５に示すように、カバー２をベース板１に取り付ける。このとき、ベース板１の荷重受け面１７はカバー２の裏面に当接する。
【符号の説明】
【００４３】
Ｂ                      埋め込みボックス
Ｂ１                    開口枠
Ｂ２                    ネジ孔
Ｇ１、Ｇ２              光コネクタプラグ収容部
Ｇ３                    モジュラープラグ収容部
Ｈ１                    光アダプタ挿入部
Ｈ２                    モジュラージャック挿入部
Ｋ１、Ｋ２              光ケーブル
Ｋ３、Ｋ４、Ｋ５        ＬＡＮまたはＴＥＬケーブル
Ｐ１                    局側の光コネクタプラグ
Ｐ２                    加入者側の光コネクタプラグ
Ｐ４                    加入者側のモジュラープラグ
Ｑ１、Ｑ２              シャッタ板
Ｗ                      屋内床面
Ｓ                      上部開口
Ｎ                      ネジ
１                      ベース板
２                      カバー
３ａ、３ｂ、３ｃ、３ｄ  取付孔
５                      光アダプタ
５ａ、５ｂ              嵌合部開口端
６                      モジュラージャック
６ａ                    嵌合部開口端
６ｂ                    接続端
１２ａ                  開口部
１２ｂ                  開口部
１３                    ケーブル溝蓋
１４                    巻回収納部
１６                    側面導入口
１７                    荷重受け面
１８                    開口部
１９                    光ケーブル入線用開口部
２０                    位置決め枠
２１ａ、２１ｂ、２１ｃ  ケーブル溝
２２ａ、２２ｂ、２２ｃ  ケーブル溝蓋
２３ａ、２３ｂ、２３ｃ  開口部
２４                    嵌合突起
２５                    係合溝
２６                    取外し溝
２７                    誤脱防止突起
２８                    係合溝
【図１】
2015022198.tif 000003
【図２】
2015022198.tif 000004
【図３】
2015022198.tif 000005
【図４】
2015022198.tif 000006
【図５】
2015022198.tif 000007
【図６】
2015022198.tif 000008
【図７】
2015022198.tif 000009
【図８】
2015022198.tif 000010
【図９】
2015022198.tif 000011
【図１０】
2015022198.tif 000012
【図１１】
2015022198.tif 000013
【図１２】
2015022198.tif 000014
【図１３】
2015022198.tif 000015
【図１４】
2015022198.tif 000016
【図１５】
2015022198.tif 000017